(57)【特許請求の範囲】
【請求項１】
電磁波シールド室に通じる内部出入口と当該電磁波シールド室の室外部に通じる外部出入口をそれぞれ備えた前室を配置し、当該前室内に送信アンテナを、前記電磁波シールド室と電磁波シールド室の室外部に受信アンテナをそれぞれ設置し、さらに前記前室内に当該前室内に人のいないことを確認するための人感センサーを、前記内部出入口と外部出入口に同時に開くことのないインターロック機構を備えた内部扉と外部扉をそれぞれ設置し、前記内部出入口の内部扉および前記外部出入口の外部扉が閉ざされ、かつ前記前室内に人のいないことが確認されたときにのみ前記送信アンテナから前記受信アンテナに電磁波が送信されて前記内部出入口および前記外部出入口のシールド性能が測定されるように構成されてなることを特徴とする電磁波シールド室出入口のシールド性能測定装置。
【請求項２】
電磁波シールド室に通じる内部出入口と当該電磁波シールド室の室外部に通じる外部出入口をそれぞれ備えた前室を配置し、当該前室内に送信アンテナを、前記電磁波シールド室と電磁波シールド室の室外部に受信アンテナをそれぞれ設置し、さらに前記前室内に当該前室内に人のいないことを確認するための人感センサーを、前記内部出入口と外部出入口に同時に開くことのないインターロック機構を備えた内部扉と外部扉をそれぞれ設置し、前記内部出入口の内部扉および前記外部出入口の外部扉を閉め、前記人感センサーによって前記前室内に人のいないことを確認してから前記送信アンテナから前記受信アンテナに電磁波を送信し、その送受信電力の差から前記内部出入口および前記外部出入口のシールド性能を測定することを特徴とする電磁波シールド室出入口のシールド性能測定方法。
【発明の詳細な説明】
【技術分野】
【０００１】
本発明は、電磁波シールド室出入口のシールド性能測定装置およびシールド性能測定方法に関し、シールド室を使用中でも出入口のシールド性能を定期的にかつ安全に測定することができる。
【背景技術】
【０００２】
電磁波シールド室の出入口にはシールド構造の扉が取り付けられ、当該扉の外周と出入口の内周の双方接触部分にシールドガスケットを取り付ける等の方法により、扉を閉めた際に扉の周囲から電磁波が漏洩しないように電磁シールされている。
【０００３】
しかし、永年の経過と共に扉の繰り返しの開閉等によりシールドガスケットが劣化して出入口のシールド性能の低下が避けられず、特にシールドガスケットの劣化がシールド室のシールド性能を低下させる大きな要因になっている。
【０００４】
このため、定期的に出入口のシールド性能を測定し、必要に応じてシールドガスケットを交換する等の補修を行なうことにより、シールド室全体のシールド性能を維持している。
【０００５】
従来、シールド室の出入口のシールド性能を測定する方法として、例えば図９に図示するように、シールド室２０内に送信アンテナ２１を、シールド室２０の室外部に受信アンテナ２２をそれぞれ設置し、シールド室２０内の送信アンテナ２１から送信した電磁波をシールド室２０の室外部に設置された受信アンテナ２２で受信し、その電磁波の強さ算出してシールド性能を確認する方法が知られている。
【０００６】
また他に、ＭＩＬ−ＳＴＤ２８５や関係省庁で制定している電磁波シールド室試験方法、さらには、電磁波シールド室や電波暗室の建設に携わる建設会杜や材料・機器メーカーが中心となって研究した成果をまとめた測定手法なども知られている。
【０００７】
【特許文献１】特許第３６６４９６１号
【特許文献２】登録実用新案第００３０８５５０６号
【特許文献３】特公平０７−１０５６１２号公報
【発明の開示】
【発明が解決しようとする課題】
【０００８】
しかし、図９に図示する測定方法は、出入口２３の扉２４または扉２５を閉めてシールド室２０を使用しながら定期的に行われるため、シールド室２０内にいる人が電磁波を浴びることがあり、安全上大きな問題があった。
【０００９】
また、上記特許文献に開示された測定方法は電磁波シールド室を設置した後のシールド性能を一時的に測定するための方法であり、シールド室の使用中には測定できないものであった。
【００１０】
本発明は、以上の課題を解決するためになされたものであり、特に電磁波シールド室の設置後、シールド室を使用しながら出入口のシールド性能の定期的な測定を安全に行えるようにした電磁波シールド室出入口のシールド性能測定装置およびシールド性能測定方法を提供することを目的とする。
【課題を解決するための手段】
【００１１】
請求項１記載の電磁波シールド室出入口のシールド性能測定装置は、電磁波シールド室に通じる内部出入口と当該電磁波シールド室の室外部に通じる外部出入口をそれぞれ備えた前室を配置し、当該前室内に送信アンテナを、前記電磁波シールド室と電磁波シールド室の室外部に受信アンテナをそれぞれ設置し、さらに前記前室内に当該前室内に人のいないことを確認するための人感センサーを、前記内部出入口と外部出入口に同時に開くことのないインターロック機構を備えた内部扉と外部扉をそれぞれ設置し、前記内部出入口の内部扉および前記外部出入口の外部扉が閉ざされ、かつ前記前室内に人のいないことが確認されたときにのみ前記送信アンテナから前記受信アンテナに電磁波が送信されて前記内部出入口および前記外部出入口のシールド性能が測定されるように構成されてなることを特徴とするものである。
【００１２】
本発明は、特に出入口がすべて閉められ、前室内に人のいないことが確認された場合に限り、送信アンテナから受信アンテナ側に電磁波が送信されて、出入口における漏洩する電磁波を測定することにより、シールド室のシールド性能を安全に測定できるようにしたものである。
【００１３】
シールド室において、電磁波の漏洩は、シールド室の出入口に取り付けられたシールド扉の性能劣化が最も大きいことから、送信アンテナと受信アンテナはシールド扉の周辺の出入口側に対向させて設置し、特に出入口を覆うように設置するのがよい。
【００１４】
また、送信アンテナと受信アンテナは、例えば出入口の上下方向および／または横方向に対向させて複数組設置することで、任意に選択した一組または複数組の送信アンテナと受信アンテナに順次切替えて、各部における電磁波の送・受信を行なうことによりシールド性能の測定精度を高めることができる。
【００１５】
また、各アンテナの性能や電波伝播特性による影響も少なくすることも可能なため、電磁波シールド室の性能測定が安定し、出入口のシールド性能を精度良く測定することができる（図２参照）。
【００１７】
また、前室内に当該前室内に人のいないことを確認するための人感センサーを設置することにより、出入口のシールド性能をより安全に測定することができる。
【００１８】
請求項２記載の電磁波シールド室出入口のシールド性能測定方法は、電磁波シールド室に通じる内部出入口と当該電磁波シールド室の室外部に通じる外部出入口をそれぞれ備えた前室を配置し、当該前室内に送信アンテナを、前記電磁波シールド室と電磁波シールド室の室外部に受信アンテナをそれぞれ設置し、さらに前記前室内に当該前室内に人のいないことを確認するための人感センサーを、前記内部出入口と外部出入口に同時に開くことのないインターロック機構を備えた内部扉と外部扉をそれぞれ設置し、前記内部出入口の内部扉および前記外部出入口の外部扉を閉め、前記人感センサーによって前記前室内に人のいないことを確認してから前記送信アンテナから前記受信アンテナに電磁波を送信し、その送受信電力の差から前記内部出入口および前記外部出入口のシールド性能を測定することを特徴とするものである。
【００１９】
本発明は、出入口をすべて閉め、かつ人感センサーによって前室内に人のいないことを確認してから、送信アンテナから受信アンテナ側に電磁波を送信して出入口における漏洩する電磁波を安全に測定するようにしたものである。
【００２０】
出入口のシールド性能を測定する際、あらかじめ出入口の扉を開けた状態で送信アンテナと受信アンテナ間の電波伝播特性(空間における電波伝播損失)を測定するが、受信アンテナで送信電波を認識できる最少の受信電力の時の送信電力を基準値１とする。この基準値１の測定をシステムのレベル校正と呼ぶ(図６ ＣＡＬＩＢＲＡＴＩＯＮ部)。
【００２１】
次に、出入口の扉を閉めた状態での電波伝播特性(この時の特性は遮蔽効果となる)を測定し、受信アンテナで送信電波を認識できる最少の受信電力(最少の受信電力の時と同等な受信電力)とになるように送信電力を高め、その時の送信電力を基準値２とする(図７参照)。
【００２２】
そして、これら基準値１と基準値２の差を求め、この差を扉を閉めた時の出入口のシールド性能（遮蔽効果）とする。ただし、送信電力は受信部で安定した特性(最少の受信電力の電力値)が得られる最低の送信電力とする。
【００２３】
基準値１の測定は、本装置の設置時または定期点検、保守時のみ行うだけでよく、通常は扉を閉めた状態で基準値２の測定を行い、その都度基準値１と基準値２の差を求め、その差を出入口のシールド性能とすることができる。
【００２４】
また、定期的に出入口のシールド性能値(基準値１と基準値２の差)を測定し、結果を記憶回路に保存することができる。また、遮蔽効果値があらかじめ設定された範囲を越えた場合、遮蔽性能が劣化している可能性があることを運用者に知らせる機能を備えている。
【００２５】
さらに、定期的に測定した遮蔽効果値は記憶回路に保存すると同時に、過去の遮蔽効果値との相互差異を検出すると共に保存された遮蔽効果値の相互関係(遮蔽効果値間の差)から、あらかじめ設定された数値範囲を越えた場合に遮蔽性能が劣化している可能性があることを運用者へ知らせる機能も併せて備えている。
【００２６】
これにより、保存した測定データから電磁シールド性能の劣化を検出し、劣化の度合いがある判定基準を越えたら警報として、運用者に出入口の補修の時期を事前に知らせることが可能になり、シールド室を継続して運用することができる。
【００２７】
なお、送信部と受信部の機能動作を監視制御する受信部４に含まれる監視制御部は前記送信部を介して通信ネットワークヘ接続することができ、出入口シールドモニタシステムと1つの監視制御部で構成される出入口シールドモニタシステムが構築できる。この場合監視制御部は集中監視制御装置の機能を備えている。
【発明の効果】
【００２８】
本発明は、特に出入口がすべて閉められ、前室内に人のいないことが確認された場合に限り、送信アンテナから受信アンテナ側に電磁波が送信されるように構成されているので、出入口を通ってシールド室に出入りする者が誤って電磁波を浴びる恐れはなく、シールド室のシールド性能をきわめて安全に測定することができる。また、前室内に人感センサーを設置することにより出入口のシールド性能をより安全に測定することができる。
【００２９】
さらに、電磁波シールド室の設置後のみならず、シールド室の使用中においも出入口のシールド性能を定期的に測定することができるため、シールド室を継続的に使用することができる。
【００３０】
また、送信アンテナを前室内に、受信アンテナをシールド室および前室の外側に、さらに当該送信アンテナと受信アンテナを近距離で設置することにより、空間の電波伝播損失を最少にすることができるとともに、送・受信アンテナ間における電波伝播に関する悪影響を最少にすることで電磁波シールド性能の測定値のバラツキを少なくすることができる。
【００３１】
また、送信アンテナと受信アンテナが出入口の縦方向または横方向に対向して、あるいは縦方向と横方向に組み合わせて出入口を覆うように設置する場合には、当該送信アンテナと受信アンテナから任意に選択した一組の送信アンテナと受信アンテナに順次切り替えて、電磁波の送・受信を行うことにより各部のシールド性能を精度良く測定することができる。
【００３２】
なお、送信アンテナと受信アンテナを出入口に、縦方向または横方向に近距離で設置することにより電波伝播範囲は狭まるが、これには送信アンテナと受信アンテナの設置数量を増やすことで補完できる。
【００３３】
また、送信アンテナから受信アンテナに電波を放射させて出入口のシールド性能を測定する際、受信アンテナで送信電波を認識できる最少の送信電力を利用することにより、測定時にシールド室内やシールド室外の電子機器等に影響を及ぼすことはない。
【００３４】
図２には、複数アンテナ制御型のシールド性能測定装置の機能ブロック図を示すが、図内の送信部１と受信部４の機能動作を監視制御する受信部４に含まれる監視制御部は送信部１を介して通信ネットワークヘ接続することができ、出入口シールドモニタシステムと1つの監視制御部で構成される出入口シールドモニタシステムを構築できる。
【００３５】
またこの場合、監視制御部は集中監視制御装置の機能を備え、よって、１(集中監視制御装置):Ｎ(複数アンテナ制御型出入口シールドモニタシステム)が容易に構築できる。さらに、受信部４に含まれる監視制御部に代え監視制御部(コントローラ)１２を通信ネットワークへ接続してもよい。
【発明を実施するための最良の形態】
【００３６】
図１と図２は、電磁波シールド室出入口のシールド性能測定装置（以下「本装置」という）の機能ブロック図である。また、図３は本装置を備えた電磁波シールド室（以下「シールド室」という）の概念図、図４（ａ）〜（ｄ）は本装置の説明図、図５（ａ），（ｂ）は出入口の拡大図である。
【００３７】
本装置は、一組（図１）または複数組（図２）の送信アンテナＴＸ−１〜ＴＸ−ｎ、送信機（図省略）を備えた送信部１、送信アンテナＴＸ−１〜ＴＸ−ｎと送信部１との間に接続された送信切替器２（図２）および送信部１に接続された人感センサー３を備えた送信系と、複数の受信アンテナＲＸ−１〜ＲＸ−ｎ、受信機（図省略）を備えた受信部４、受信アンテナＲＸ−１〜ＲＸ−ｎと受信部４との間に接続された受信切替器５（図２）を備えた受信系と、送信部１と受信部４の機能動作を監視制御する制御部(受信部４に含まれる)とから構成され、また送信系と受信系を合わせて送・受信部として構成されている。
【００３８】
また、シールド室６に接して配置された前室７には、シールド室６との間を行き来するための内部出入口８と外部との間を行き来するための外部出入口９がそれぞれ設けられている。そして、この内部出入口８、前室７および外部出入口９を通ってシールド室６と外部との間を行き来できるようになっている。
【００３９】
また、内部出入口８には内部扉１０、外部出入口９には外部扉１１がそれぞれ取り付けられ、両扉は同時に開くことのないインターロック機構を備え、かついずれも扉の外周と出入口の内周の双方接触部分に扉を閉めた状態で扉の周辺から電磁波が漏洩しないようにシールドガスケット（図省略）を取り付ける等の方法によって電磁シールドされている。
【００４０】
さらに、内部扉１０と外部扉１１の周囲、すなわち内部出入口８の枠体８ａと外部出入口９の枠体９ａの近傍には、送信アンテナＴＸ−１〜ＴＸ−ｎと受信アンテナＲＸ−１〜ＲＸ−ｎが共に電磁波シールド性能を測定する部位数または測定範囲に応じて複数取り付けられている。また、前室７内に人感センサー３が設置されている。
【００４１】
送信アンテナＴＸ−１〜ＴＸ−ｎは、内部扉１０の前室７側に取り付けられ、受信アンテナＲＸ−１〜ＲＸ−ｎは、内部扉１０を挟んでシールド室６側と、外部扉１１を挟んで前室７の屋外側にそれぞれ取り付けられている。
【００４２】
さらに、送信アンテナＴＸ−１〜ＴＸ−ｎと受信アンテナＲＸ−１〜ＲＸ−ｎは、各扉の縦方向または横方向に対向し、あるいは縦方向と横方向にそれぞれ対向し、送信アンテナＴＸ−１〜ＴＸ−ｎから受信アンテナＲＸ−１〜ＲＸ−ｎ側に発信される電磁波によって各出入口８，９を覆うように取り付けられている。
【００４３】
すなわち、複数の送信アンテナＴＸ−１〜ＴＸ−ｎと受信アンテナＲＸ−１〜ＲＸ−ｎは、対向して取り付けられた送信アンテナと受信アンテナ間で送受信される高周波電波によって各出入口８，９を覆うように出入口の枠体８ａ，９ａに取り付けられている。
【００４４】
なおこの場合、送信アンテナと受信アンテナは、ＴＸ−１とＲＸ−１、ＴＸ−２とＲＸ−２、……がそれぞれ対向するように特定の組み合わせ（向い合わせ）において高周波電波を送・受信する場合の他、例えばＴＸ−１とＲＸ−２、ＴＸ−２とＲＸ−１、……がそれぞれ対向するように他の送・受信アンテナ同士がクロスした組み合わせにおいて高周波電波を送・受信する場合もある。
【００４５】
送信切替器２は送信部１から出力される高周波信号を複数の送信アンテナＴＸ−１〜ＴＸ−ｎのうち、特定の送信アンテナに給電するための送信切替器であり、当該送信切替器２の切り替え制御は送信部１から行われるようになっている。
【００４６】
また、受信切替器５は複数の受信アンテナＲＸ−１〜ＲＸ−ｎのうち、特定のアンテナで受信した高周波電波を受信部４に出力するための受信切替器であり、当該受信切替器５の切り替え制御は受信部４から行われるようになっている。
【００４７】
これによって、送・受信アンテナ間の設置間隔(距離)をできるだけ短縮することでシールド室内に物理的制限を与えないこと、自由空間での電波伝播損失を少なくすることで送信部１の送信電力を下げられること、さらに送・受信アンテナの設置環境に起因する電波伝播の悪影響を最小限にすること等の効果を得ている。
【００４８】
なお、図１は、前室内に送信アンテナ１基、シールド室内およびシールド室外に受信アンテナを各１基、シールド扉の周辺の出入口側に対向してこれらを一組設置した場合を示す。この場合は、前記図２の送・受信切替部が不要となる。
【００４９】
また、送・受信アンテナを出入口の扉の周辺に設置すると、１組の送・受信アンテナでは出入口の扉の周辺全体を網羅できない場合には、複数組の送・受信アンテナが設置されていることでシールド扉の周辺全体を網羅することができる。
【００５０】
人感センサー３は、前室７内に人のいないことを確認するためのセンサーであり、当該人感センサー３からの信号は送信部１で受信され、そして、図４（ｄ）に図示するように、内部扉１０および外部扉１１がすべて閉められ、かつ前室７内に人のいないことが人感センサー３によって確認された時にのみ、送信アンテナＴＸ−１〜ＴＸ−ｎから受信アンテナＲＸ−１〜ＲＸ−ｎ側に電磁波が送信され、出入口８，９のシールド性能が測定される。
【００５１】
次に、送信部１、受信部４および監視制御部(受信部４に含まれる)の機能、動作を説明すると、送信部１は、高周波信号を発生するためのＰＬＬシンセサイズド信号発生部と、送信アンテナＴＸ−１〜ＴＸ−ｎに給電される高周波信号の電力を増減する増幅器および減衰器と帯域濾波器から構成されている。
【００５２】
受信部４は、受信アンテナＲＸ−１〜ＲＸ−ｎで受信した高周波電波を増幅する高周波増幅部と帯域濾波器と２段階切り替え型減衰器とからなる高感度受信部と、ＰＬＬシンセサイズド信号発生部、シングルコンバージョン方式による周波数変換部と、周波数変換後の中間周波信号をアナログデジタル変換するＡ／Ｄ変換器から構成されている。
【００５３】
また、送信部１と受信部４の機能動作を制御する監視制御部(受信部４に含まれる)があるが、当該監視制御部はディジタルシグナルプロセッサ(ＤＳＰ)とその周辺回路から構成されている。特に、ディジタルシグナルプロセッサ(ＤＳＰ)は、送信系で送信切替器２の切り替え制御、高周波信号の送信周波数制御と高周波信号の電力増減制御、受信系では受信切替器５の切り替え制御、２段階切り替え型減衰器の２段階切り替え制御、Ａ／Ｄ変換器から出力されるデジタル信号の数値演算処理、そして数値演算処理により周波数情報とその信号レベル情報に分け、記憶回路に保持する機能を備えている。
【００５４】
すなわち、送信系では所要の高周波信号の送出と送信アンテナＴＸ−１〜ＴＸ−ｎヘの給電を行う一方、受信系では受信アンテナＲＸ−１〜ＲＸ−ｎで取得した電波から所要の高周波信号を抽出し、周波数情報とその信号レベル情報に変換する機能動作をする。
【００５５】
さらに、監視制御部１２は後記する監視制御部(コントローラ)１２とＵＳＢケーブルで接続することで監視、制御の機能が従属的に実行できるようになっている。また、監視制御部(コントローラ)１２から指示指定された制御内容によって、監視制御部(コントローラ)１２が接続されなくても単独で動作するようにもなっている。
【００５６】
次に監視制御部(コントローラ)１２の機能、動作を説明する。
【００５７】
送信部１と受信部４を総括的に監視制御するためにＰＣを用いた監視制御部(コントローラ)１２を備えている。特に監視制御部(コントローラ)１２は電磁波シールド室を設置した後の性能測定、通常運用前の各種設定、システム校正などの初期設定や、運用中での定期確認・保守など、必要に応じて送信部１と受信部４へＵＳＢケーブルで接続すれば監視、制御機能が実行できる。さらに、送・受信部の記憶回路に保存されている測定データを監視制御部(コントローラ)１２へ取り込む機能(ダウンロード)を備えている。
【００５８】
監視、制御機能として、先ず送・受信部に係わる機能として、送信系で送信切替器２の切り替え制御、高周波信号の送信周波数制御と高周波信号の電力増減制御、受信系では受信切替器５の切り替え制御、２段階切り替え型減衰器の２段階切り替え制御、Ａ／Ｄ変換器から出力されるデジタル信号の数値演算処理に関する事項、そして数値演算処理により得られた周波数情報とその信号レベル情報の取り込み機能を備えている。
【００５９】
このような構成において、内部出入口８と外部出入口９の電磁波シールド性能を測定するには、まず内部出入口８の内部扉１０と外部出入口９の外部扉１１を開けた状態で、各出入口の電波伝播特性(空間における電波伝播損失)をそれぞれ測定し、受信アンテナＲＸ−１〜ＲＸ−ｎと受信部（受信機）４で送信電波を認識できる最少の受信電力を給電するための送信部（送信機）１における送信電力を基準値１とする。なお、この処理手順は図８に示す機能フロー図に基づいて行う。
【００６０】
次に内部扉１０と外部扉１１を閉めた状態での電波伝播特性(シールド効果)を観測し、受信アンテナＲＸ−１〜ＲＸ−ｎと受信部（受信機）４で送信電波を認識できる最少の受信電力になるよう、送信部（送信機）１における送信電力の出力を高め、その時の送信電力を基準値２とし、基準値１と基準値２の特性差(遮蔽効果値)を内部扉１０および外部扉１１のシールド性能とする。ここで、基準値１の測定、操作をレベル校正と呼んでいる。
【００６１】
なお、送信部（送信機）１の送信電力は受信部（受信機）４で安定した特性(受信レベル)が得られる最低の送信電力とする。これは送信部（送信機）１の送信電力をできるだけ小さな電力で運用し、周囲の電子機器等への影響を与えないようにするためである。詳細は、図６〜図８に処理フローを示す。
【００６２】
また、送信部（送信機）１の基準値１の測定と設定は、本装置設置時または定期点検、保守時のみ行い、通常は内部扉１０および外部扉１１を閉めた状態で基準値２を測定することで各出入口８，９のシールド効果の値を得る。
【００６３】
次に警報機能について説明すると、定期的に内部出入口８と外部出入口９のシールド性能値を測定し、結果を記憶回路に保存し、さらにシールド性能値があらかじめ設定された範囲(図７に示すＤ／Ｕ  ＧＲＥＥＮＺＯＮＥとＤ／Ｕ  ＹＥＬＬＯＷＺＯＮＥ)を越えた場合、内部出入口８および／または外部出入口９のシールド性能が劣化している可能性があることを運用者へ知らせる機能を備えている。
【００６４】
また、定期的に測定した各出入口８，９のシールド性能値は記憶回路に保存すると同時に、過去の測定値との相互差異を検出すると共に保存されたシールド性能値の相互関係から、劣化度合いがあらかじめ設定された範囲を越えた場合にシールド性能が劣化している可能性があることを運用者へ知らせる機能をも併せて備えている。
【００６５】
よって、シールド室の運用者は、劣化したシールドガスケット交換することにより、常時、要求されたシールド性能を満足させた状態でシールド室を継続運用することができる。
【００６６】
なお、図において、「ＣＡＬＩＢＲＡＳＩＯＮ部」は「レベル校正部」、「ＭＥＡＳＵＲＥＭＥＮＴ部」は「測定部」、そして「ＴＲＸ」は「送受信部」である。また、「Ｄ／Ｕ」は「基準値１と基準値２の差」、「ＡＬＭ」は「警報」、「ＰＷＲ」は電源、「ＬＥＤ」は「発光ダイオード」、「ＭＥＡＳＵＲＥＭＥＮＴ」は「測定」、「ＴＸ  ＯＵＴ」は「送信電力」、そして「ＴＸ  ＯＵＴ  ＩＮＣＲＥＡＳＥ」は「送信電力増加」をそれぞれ意味する。
【産業上の利用可能性】
【００６７】
本発明は、電磁波シールド室の設置後のみならず、使用中においても、シールド室の出入口のシールド性能を定期的にかつきわめて安全に測定することができる。
【図面の簡単な説明】
【００６８】
【図１】電磁波シールド室出入口のシールド性能測定装置の一例を示すブロック図である。
【図２】電磁波シールド室出入口のシールド性能測定装置の一例を示すブロック図である。
【図３】本装置を備えた電磁波シールド室の概念図である。
【図４】（ａ）〜（ｄ）は本装置の説明図である。
【図５】（ａ），（ｂ）は出入口の拡大図である。
【図６】本装置の処理手順の全体を示す機能フロー図である。
【図７】本装置の処理手順で図５のＭＥＡＳＵＲＥＭＥＮＴ部のＤ／Ｕ測定の詳細を示す機能フロー図である。
【図８】本装置の処理手順で図３のＣＡＬＩＢＲＡＴＩＯＮ部を示す機能フロー図である。
【図９】従来の電磁波シールド室の概念図である。
【符号の説明】
【００６９】
１  送信部
２  送信切替器
３  人感センサー
４  受信部
５  受信切替器
６  シールド室(電磁波シールド室)
７  前室
８  内部出入口
９  外部出入口
１０  内部扉
１１  外部扉
１２  監視制御部(コントローラ)
ＴＸ−１〜ＴＸ−ｎ  送信アンテナ
ＲＸ−１〜ＲＸ−ｎ  受信アンテナ
【図１】
0005154153.tif 000002
【図２】
0005154153.tif 000003
【図３】
0005154153.tif 000004
【図４】
0005154153.tif 000005
【図５】
0005154153.tif 000006
【図６】
0005154153.tif 000007
【図７】
0005154153.tif 000008
【図８】
0005154153.tif 000009
【図９】
0005154153.tif 000010